(57)【要約】【課題】開位置及び閉位置を具備する、改善されたベネチアン・ブラインド型窓遮蔽物が提供されている。【解決手段】閉位置においては、窓遮蔽物は固定部材および調節部材を隠蔽する使用面を現わす。窓遮蔽物は更に下横木１０４並びに、上横木１０２と下横木１０４の間に複数の羽根板１０６を備えている。固定部材と調節部材は協力して、窓遮蔽物を開閉するように複数のブラインド羽根板１０６を調節しつつ移動させるか又は傾斜させるのに適している。ブラインド羽根板傾斜機構は、少なくとも調節部材を上昇、降下させることにより複数のブラインド羽根板１０６の位置調節をする。【選択図】図１
2004316405.tif 000002
【特許請求の範囲】
【請求項１】
閉位置、開位置、及び使用面を具備するベネチアン・ブラインド型の窓遮蔽物であって、
少なくとも調節部材を上昇、降下させるためのブラインド羽根板傾斜機構を有する上横木；
上横木と下横木を機能的に連結している固定部材；
各羽根板が固定部材と調節部材に沿いある列間隔をとって制限された状態で配置され、複数の羽根板の各々は更に末端部を備えた、上横木と下横木の間に在る複数の羽根板；
窓遮蔽物が閉位置に在る時固定部材及び調節部材が隣接する羽根板の末端部によって使用面から隠されるように、各羽根板が列間隔より長くなっている末端部；及び
調節部材を上昇、降下させることにより複数のブラインド羽根板の位置調整をするブラインド羽根板傾斜機構；
から構成されることを特徴とする、窓遮蔽物。
【請求項２】
ブラインド羽根板傾斜機構が、更に固定部材を上昇させることを特徴とする、請求項１の窓遮蔽物。
【請求項３】
ブラインド羽根板傾斜機構が、固定部材を調節部材の反対方向へ動かすことを特徴とする、請求項２の窓遮蔽物。
【請求項４】
固定部材が、綱であることを特徴とする、請求項１の窓遮蔽物。
【請求項５】
固定部材が、鏡板であることを特徴とする、請求項１の窓遮蔽物。
【請求項６】
鏡板が、半透明材料であることを特徴とする、請求項５の窓遮蔽物。
【請求項７】
鏡板が、透明材料であることを特徴とする、請求項５の窓遮蔽物。
【請求項８】
鏡板が、不透明材料であることを特徴とする、請求項５の窓遮蔽物。
【請求項９】
釣り合い力が複数の羽根板の各々に旋回軸領域の周りで加えられ、釣り合い力は各羽根板に調節部材により加えられる持ち上げ力よりも大きいことを特徴とする、請求項１の窓遮蔽物。
【請求項１０】
複数の羽根板の各々が、固定部材及び調節部材に動かないように固定されていることを特徴とする、請求項１の窓遮蔽物。
【請求項１１】
複数の羽根板の各々が、梯子横木状物によって固定部材及び調節部材に対し制限された状態で位置決めされていることを特徴とする、請求項１の窓遮蔽物。
【請求項１２】
複数の羽根板の各々が、止め具と支え具によって固定部材及び調節部材に対し制限された状態で位置決めされていることを特徴とする、請求項１の窓遮蔽物。  
【請求項１３】
止め具が固定部材に動かないように固定され、支え具が調節部材に動かないように固定されていることを特徴とする、請求項１２の窓遮蔽物。
【請求項１４】
複数の羽根板の各々が、剛性固定片によって固定部材及び調節部材に対し制限された状態で位置決めされていることを特徴とする、請求項１の窓遮蔽物。
【請求項１５】
複数の羽根板の各々が、更に補強片を備えていることを特徴とする、請求項１の窓遮蔽物。
【請求項１６】
傾斜機構が制御杖を備えていることを特徴とする、請求項１の窓遮蔽物。
【請求項１７】
傾斜機構が細引き錠を備えていることを特徴とする、請求項１の窓遮蔽物。
【請求項１８】
開位置及び閉位置を具備するベネチアン・ブラインド型の窓遮蔽物であって、
上横木、下横木、調節部材、及び固定部材；  
少なくとも調節部材を上昇、降下させるためのブラインド羽根板傾斜機構；
各羽根板が隣接する羽根板からある列間隔を離して配置された、上横木と下横木の間に在る複数の羽根板；
複数の羽根板の各々が、調節部材及び固定部材の周りに制限された状態で位置決めされており、開位置と閉位置の間を調節部材と固定部材によって移動できる複数の羽根板；
列間隔より大きな幅の前方末端部を、更に規定している各羽根板；及び
窓遮蔽物が閉位置に在る時、固定部材及び調節部材は複数の羽根板の前方末端部によって使用面から隠されること；
から構成されることを特徴とする、窓遮蔽物。
【請求項１９】
ブラインド羽根板傾斜機構が、更に固定部材を上昇させることを特徴とする、請求項１８の窓遮蔽物。
【請求項２０】
ブラインド羽根板傾斜機構が、固定部材を調節部材の反対方向へ動かすことを特徴とする、請求項１９の窓遮蔽物。
【請求項２１】
固定部材が、綱であることを特徴とする、請求項１８の窓遮蔽物。
【請求項２２】
固定部材が、鏡板であることを特徴とする、請求項１８の窓遮蔽物。
【請求項２３】
鏡板が、半透明材料であることを特徴とする、請求項２２の窓遮蔽物。
【請求項２４】
鏡板が、透明材料であることを特徴とする、請求項２２の窓遮蔽物。
【請求項２５】
鏡板が、不透明材料であることを特徴とする、請求項２２の窓遮蔽物。
【請求項２６】
釣り合い力が複数の羽根板の各々に旋回軸領域の周りで加えられ、釣り合い力は各羽根板に調節部材により加えられる持ち上げ力よりも大きいことを特徴とする、請求項１８の窓遮蔽物。
【請求項２７】
複数の羽根板の各々が、固定部材及び調節部材に動かないように固定されていることを特徴とする、請求項１８の窓遮蔽物。
【請求項２８】
複数の羽根板の各々が、梯子横木状物によって固定部材及び調節部材に対し制限された状態で位置決めされていることを特徴とする、請求項１８の窓遮蔽物。
【請求項２９】
複数の羽根板の各々が、止め具と支え具によって固定部材及び調節部材に対し制限された状態で位置決めされていることを特徴とする、請求項１８の窓遮蔽物。
【請求項３０】
止め具が固定部材に動かないように固定され、支え具が調節部材に動かないように固定されていることを特徴とする、請求項２９の窓遮蔽物。
【請求項３１】
複数の羽根板の各々が、剛性固定片によって固定部材及び調節部材に対し制限された状態で位置決めされていることを特徴とする、請求項１８の窓遮蔽物。
【請求項３２】
複数の羽根板の各々が、更に補強片を備えていることを特徴とする、請求項１８の窓遮蔽物。
【請求項３３】
傾斜機構が制御杖を備えていることを特徴とする、請求項１８の窓遮蔽物。
【請求項３４】
傾斜機構が細引き錠を備えていることを特徴とする、請求項１８の窓遮蔽物。
【請求項３５】
固定部材が連続部材であることを特徴とする、請求項１の窓遮蔽物。
【請求項３６】
調節部材が連続部材であることを特徴とする、請求項１の窓遮蔽物。
【請求項３７】
閉位置、開位置、及び使用面を具備するベネチアン・ブラインド型の窓遮蔽物であって、
調節部材を上昇、降下させるためのブラインド羽根板傾斜機構を有する上横木；
上横木と下横木を機能的に連結している固定部材；
各羽根板が固定部材と調節部材に沿いある列間隔をとって制限された状態で配置され、複数の羽根板の各々は更に末端部を備えた、上横木と下横木の間に在る複数の羽根板；
窓遮蔽物が閉位置に在る時固定部材及び調節部材が隣接する羽根板の末端部によって使用面から隠されるように、各羽根板が列間隔より長くなっている末端部；及び
調節部材を上昇、降下させることにより複数のブラインド羽根板の位置調整をするブラインド羽根板傾斜機構；
から構成されることを特徴とする、窓遮蔽物。
【請求項３８】
固定部材が、綱であることを特徴とする、請求項３７の窓遮蔽物。
【請求項３９】
固定部材が、鏡板であることを特徴とする、請求項３７の窓遮蔽物。
【請求項４０】
鏡板が、半透明材料であることを特徴とする、請求項３９の窓遮蔽物。
【請求項４１】
鏡板が、透明材料であることを特徴とする、請求項３９の窓遮蔽物。
【請求項４２】
鏡板が、不透明材料であることを特徴とする、請求項３９の窓遮蔽物。
【請求項４３】
釣り合い力が複数の羽根板の各々に旋回軸領域の周りで加えられ、釣り合い力は各羽根板に調節部材により加えられる持ち上げ力よりも大きいことを特徴とする、請求項３７の窓遮蔽物。
【請求項４４】
複数の羽根板の各々が、固定部材及び調節部材に動かないように固定されていることを特徴とする、請求項３７の窓遮蔽物。
【請求項４５】
複数の羽根板の各々が、梯子横木状物によって固定部材及び調節部材に対し制限された状態で位置決めされていることを特徴とする、請求項３７の窓遮蔽物。
【請求項４６】
複数の羽根板の各々が、止め具と支え具によって固定部材及び調節部材に対し制限された状態で位置決めされていることを特徴とする、請求項３７の窓遮蔽物。
【請求項４７】
止め具が固定部材に動かないように固定され、支え具が調節部材に動かないように固定されていることを特徴とする、請求項４６の窓遮蔽物。
【請求項４８】
複数の羽根板の各々が、剛性固定片によって固定部材及び調節部材に対し制限された状態で位置決めされていることを特徴とする、請求項３７の窓遮蔽物。
【請求項４９】
複数の羽根板の各々が、更に補強片を備えていることを特徴とする、請求項３７の窓遮蔽物。
【請求項５０】
傾斜機構が制御杖を備えていることを特徴とする、請求項３７の窓遮蔽物。
【請求項５１】
傾斜機構が細引き錠を備えていることを特徴とする、請求項３７の窓遮蔽物。
【請求項５２】
固定部材が連続部材であることを特徴とする、請求項３７の窓遮蔽物。
【請求項５３】
調節部材が連続部材であることを特徴とする、請求項３７の窓遮蔽物。
【請求項５４】
閉位置、開位置、及び使用面を具備するベネチアン・ブラインド型の窓遮蔽物であって、
調節部材及び固定部材を上昇、降下させるためのブラインド羽根板傾斜機構を有する上横木，
下横木；
上横木に連結されている固定部材及び調節部材；
各羽根板が固定部材と調節部材に沿いある列間隔をとって制限された状態で配置され、複数の羽根板の各々は更に末端部を備えた、上横木と下横木の間に在る複数の羽根板；
窓遮蔽物が閉位置に在る時固定部材及び調節部材が隣接する羽根板の末端部によって使用面から隠されるように、各羽根板が列間隔より長くなっている末端部；及び
調節部材及び固定部材を上昇、降下させることにより複数のブラインド羽根板の位置調整をするブラインド羽根板傾斜機構；
から構成されることを特徴とする、窓遮蔽物。
【請求項５５】
ブラインド羽根板傾斜機構が、固定部材を調節部材の反対方向へ動かすことを特徴とする、請求項５４の窓遮蔽物。
【請求項５６】
固定部材が、綱であることを特徴とする、請求項５４の窓遮蔽物。
【請求項５７】
固定部材が、鏡板であることを特徴とする、請求項５４の窓遮蔽物。
【請求項５８】
鏡板が、半透明材料であることを特徴とする、請求項５７の窓遮蔽物。
【請求項５９】
鏡板が、透明材料であることを特徴とする、請求項５７の窓遮蔽物。
【請求項６０】
鏡板が、不透明材料であることを特徴とする、請求項５７の窓遮蔽物。
【請求項６１】
釣り合い力が複数の羽根板の各々に旋回軸領域の周りで加えられ、釣り合い力は各羽根板に調節部材により加えられる持ち上げ力よりも大きいことを特徴とする、請求項５４の窓遮蔽物。
【請求項６２】
複数の羽根板の各々が、固定部材及び調節部材に動かないように固定されていることを特徴とする、請求項５４の窓遮蔽物。
【請求項６３】
複数の羽根板の各々が、梯子横木状物によって固定部材及び調節部材に対し制限された状態で位置決めされていることを特徴とする、請求項５４の窓遮蔽物。
【請求項６４】
複数の羽根板の各々が、止め具と支え具によって固定部材及び調節部材に対し制限された状態で位置決めされていることを特徴とする、請求項５４の窓遮蔽物。  
【請求項６５】
止め具が固定部材に動かないように固定され、支え具が調節部材に動かないように固定されていることを特徴とする、請求項６４の窓遮蔽物。
【請求項６６】
複数の羽根板の各々が、剛性固定片によって固定部材及び調節部材に対し制限された状態で位置決めされていることを特徴とする、請求項５４の窓遮蔽物。
【請求項６７】
複数の羽根板の各々が、更に補強片を備えていることを特徴とする、請求項５４の窓遮蔽物。
【請求項６８】
傾斜機構が制御杖を備えていることを特徴とする、請求項５４の窓遮蔽物。
【請求項６９】
傾斜機構が細引き錠を備えていることを特徴とする、請求項５４の窓遮蔽物。
【請求項７０】
閉位置、開位置、及び使用面を具備するベネチアン・ブラインド型の窓遮蔽物であって,
少なくとも調節部材を上昇、降下させるためのブラインド羽根板傾斜機構を有する上横木；
上横木と下横木に連結された布製鏡板からなる固定部材；
各羽根板が固定部材と調節部材に沿いある列間隔をとって制限された状態で配置され、複数の羽根板の各々は更に末端部を備えた、上横木と下横木の間に在る複数の羽根板；
窓遮蔽物が閉位置に在る時固定部材及び調節部材が隣接する羽根板の末端部によって使用面から隠されるように、各羽根板が列間隔より長くなっている末端部；及び
調節部材を上昇、降下させることにより複数のブラインド羽根板の位置調整をするブラインド羽根板傾斜機構；
から構成されることを特徴とする、窓遮蔽物。
【請求項７１】
ブラインド羽根板傾斜機構が、更に固定部材を上昇させることを特徴とする、請求項７０の窓遮蔽物。
【請求項７２】
ブラインド羽根板傾斜機構が、固定部材を調節部材の反対方向へ動かすことを特徴とする、請求項７１の窓遮蔽物。
【請求項７３】
鏡板が、半透明材料であることを特徴とする、請求項７０の窓遮蔽物。
【請求項７４】
鏡板が、透明材料であることを特徴とする、請求項７０の窓遮蔽物。
【請求項７５】
鏡板が、不透明材料であることを特徴とする、請求項７０の窓遮蔽物。
【請求項７６】
釣り合い力が複数の羽根板の各々に旋回軸領域の周りで加えられ、釣り合い力は各羽根板に調節部材により加えられる持ち上げ力よりも大きいことを特徴とする、請求項７０の窓遮蔽物。
【請求項７７】
複数の羽根板の各々が、固定部材及び調節部材に動かないように固定されていることを特徴とする、請求項７０の窓遮蔽物。
【請求項７８】
複数の羽根板の各々が、剛性固定片によって調節部材に対し制限された状態で位置決めされていることを特徴とする、請求項７０の窓遮蔽物。
【請求項７９】
複数の羽根板の各々が、更に補強片を備えていることを特徴とする、請求項７０の窓遮蔽物。
【請求項８０】
傾斜機構が制御杖を備えていることを特徴とする、請求項７０の窓遮蔽物。
【請求項８１】
傾斜機構が細引き錠を備えていることを特徴とする、請求項７０の窓遮蔽物。
【発明の詳細な説明】
【技術分野】
【０００１】
本発明は、改善された窓遮蔽物に関する。特に、本発明は、通常日除けの一面が室内に面するように配置されていることを特徴とする、複数のブラインド羽根板から構成されるベネチアン・ブラインド型の、改善された窓遮蔽物に関する。
【背景技術】
【０００２】
ベネチアン・ブラインドは、太陽光線を遮断し、室内の明るさを調節し、部屋を装飾し、プライバシーを提供する、などの機能を与えるので、窓遮蔽物として広く歓迎されている。従来のベネチアン・ブラインドは、一般的に、上横木、下横木、複数の羽根板、複数の引き上げ綱を含む引き上げ機構、複数の梯子紐を含む傾斜又は調節機構を備えている。一般に、持ち上げ部材は、下横木と羽根板が同期して降ろしたり持ち上げたりされるようにバランスをとるため、ブラインド上に横方向に且つ対称的に備えられた綱から構成される。引き上げ綱を引くことにより、下横木及び羽根板が上横木に対して相対的に、望み通りに、持ち上げられたり降ろされたりする。
【０００３】
羽根板は、梯子紐を調節する傾斜機構を操作することによって、上下に傾斜させることが出来る。この点に関して、各梯子状物は、一般に、複数の垂直方向に間隔を置いて配置された交差横木によって互いに連結された、前後及び垂直方向に延伸する部材又は紐を備えている。梯子状物の垂直方向に延伸する部材間に、羽根板の長手方向の一側面が各交差横木に支えられている。一般に上横木は、梯子状物を動かすための傾斜又は調節機構を備え、各梯子状物の垂直方向に延伸する部材が互いに相対的に反対の垂直方向に動き、各羽根板を長手方向の軸の周りに旋回させる。上述の羽根板を異なった傾斜角に傾けることによって、ベネチアン・ブラインドを通して室内に投射される光の量と方向を制御し且つ調節することができる。
【０００４】
しかし、ベネチアン・ブラインドは、閉じた時にブラインドの表と裏の両方から梯子状物が部分的に見えるという、美的感覚上の欠点がある。この梯子状物が、それさえなければ切れ目のない窓遮蔽物の外観を台無しにしてしまう。更に、引き上げ及び傾斜綱用の孔もまた、ベネチアン・ブラインドが閉じられた時に見えることがある。このことが、ブラインド羽根板が閉じられても余分な光を室内に差し込ませるばかりでなく、窓遮蔽物の美的な魅力もまた損なわせる。本発明は、日除けが閉じられている時、梯子状物又はその他の引き上げ及び調節機構を視野から隠すことによって、これらの先行技術の短所を克服する。
【発明の開示】
【発明が解決しようとする課題】
【０００５】
開位置及び閉位置を具備する、改善されたベネチアン・ブラインド型窓遮蔽物が提供されている。
【課題を解決するための手段】
【０００６】
閉位置においては、窓遮蔽物は固定部材及び調節部材を隠蔽する使用面を見せる。窓遮蔽物は更に下横木並びに、上横木と下横木の間に在る複数の羽根板を備えている。固定部材と調節部材とは、協力して、窓遮蔽物を開閉するように複数のブラインド羽根板を調節しつつ移動させるか又は傾斜させるのに適している。
【０００７】
窓遮蔽物は、更に、少なくとも調節部材を上昇及び降下させるための、ブラインド羽根板傾斜機構を有する上横木を備えている。ある実施態様においては、ブラインド羽根板傾斜機構は、固定部材を上昇、降下させることもある。ブラインド羽根板傾斜機構は、少なくとも調節部材を上昇、降下させることにより複数のブラインド羽根板の位置調節をする。少なくとも固定部材は、上横木と下横木をそれらの間に配置された複数のブラインド羽根板によって連結する。複数の羽根板の各々は、固定部材に沿ってある列間隔に制限された状態で配置されている。列間隔は、固定部材に沿って測定された隣接する羽根板間の距離であって、窓遮蔽物全体にわたって一定であることが好ましい。各羽根板は調節部材とも制限された状態で位置決めされている。例えば、固定部材および調節部材に対する複数の羽根板各々の相対的な動きは、接着剤、超音波溶接、編み込み、結び付け、又は類似の方法により、羽根板を固定部材及び調節部材に固定することによって制限することができる。代りに、羽根板の動きは、固定部材と調節部材の間に延伸している梯子上組立物によって制限することもできる。更にもう一つの代替法として、羽根板の動きは、固定部材と調節部材とに配置された止め機構によって制限することができる。固定及び調節部材が連結されている剛性固定片は、固定及び調節部材に対するブラインド羽根板の相対的な動きを制限するのに利用することができる。もう一つの代替法として、固定部材と調節部材はそれぞれが隣接する羽根板間に固定された一連の綱であってもよく、それにより上横木と下横木を作動可能な状態で連結するであろう。
【０００８】
複数の羽根板は、木材、アルミニウム、繊維、又はそれらの組合せなどの多様な材料から作製できる。複数の羽根板の各々は、窓遮蔽物が閉位置に在る時固定部材及び調節部材が隣接する羽根板の前又は末端部によって使用面から隠されるように、各羽根板が列間隔より長くなっている前又は末端部を更に規定する。例えば、前又は末端部は、調節部材から末端に延伸している羽根板の、長手方向に延伸している幅部であってもよい。前又は末端部から中央に延伸している羽根板の部分は、後端部である。閉位置に在る時は、調節部材と固定部材が制限された状態でその周りに配置されている隣接羽根板の後端部は、窓遮蔽物が閉位置に在る時前端部が隣接羽根板の一部と重なるので、ブラインド羽根板の前端部によって隠される。
【０００９】
多くの協同する力が、複数のブラインド羽根板の各々に加えられる。重力による閉じる力が、各羽根板の重心近くに加えられる。この重力による閉じる力は、羽根板の前又は末端部が閉位置に向かって下向きに動くように促す。対抗する持ち上げ力が、羽根板を上向きに傾けて開かせる調節部材によって、各羽根板に加えられる。更なる平衡力が固定部材により各羽根板に加えられる。この平衡力は持ち上げ力より大きいことが好ましい。
【００１０】
重力による閉じる力は一定の下向きの力であり、複数の羽根板の位置が定常状態に在る時、持ち上げ力とは片寄っており且つ釣り合っている。調節部材が上横木内の傾斜機構により延伸されている時は、重力が持ち上げ力を超えてブラインド羽根板が閉位置に向かい傾斜するように、持ち上げ力が低下する。対照的に、調節部材が上横木内の傾斜機構により収縮されている時は、持ち上げ力は重力による閉じる力より大きく、従ってブラインド羽根板は上向きに傾斜するか又は開かれる。
【００１１】
しかし、平衡力は重力又は持ち上げ力の何れよりも大きいので、羽根板は前又は末端部に近接した長手方向領域の周りに旋回する。調節部材のみが上昇、降下される場合、その周りを羽根板が旋回する長手方向領域は、固定部材が羽根板に対して制限された状態で位置決めされている点のほぼ近傍に存在するのが好ましく、長手方向領域は其処から延伸する。この旋回領域は、傾斜機構が調節部材を上昇、降下させる時、垂直方向には上横木に対して相対的に事実上静止している。十分な平衡力を供給することは、幾つかの方法で達成できる。例えば、固定部材が連結されている下横木が、羽根板に加えられる持ち上げ力に打ち勝つのに十分な重さであってもよい。代りに、重心に加えられる力が軽減されるように羽根板の重心を長手方向領域に近づかせるために、各羽根板が加重片を中央の端に備えてもよい。もう一つの代替法として、各羽根板は、重心を長手方向領域に向かって移動させるため、薄い末端部を有するように形作られてもよい。異なった材料が羽根板を構成するのに用いられて同じ結果を達成することもある。これらの方法の如何なる組合せも利用されるであろう。
【００１２】
幾つかの実施態様において吟味されるように、固定部材も亦傾斜機構によって上昇、降下させてよい。特に、傾斜機構は、固定部材と調節部材を互いに反対の垂直方向に上昇、降下させ、各羽根板を前又は末端部に近接した長手方向領域の周りに旋回させる。
【００１３】
固定部材は、綱又は材料の鏡板を含む幾つかの形体をとりうる。鏡板が使用される窓遮蔽物の実施態様における更なる利点は、プライバシーを維持しつつ光線を室内に入れることも出来ることである。これは、一般に日除けが閉じられている時に光線を通過させるやや半透明材料で作られ、同様に高度なプライバシー維持をするけれども望んだ時に光線を遮断することは出来ないような、標準ハニカム型日除けなどの窓遮蔽物を凌駕する改善物である。鏡板を備えたこの窓遮蔽物は、羽根板が閉じられている時光線の大部分を遮断し、羽根板が開いている時に鏡板でプライバシーを維持しつつ光線を通す。
【発明を実施するための最良の形態】
【００１４】
此処で開示した発明は、多くの異なった形態の実施態様をとることが出来る。本発明の好ましい実施態様が、図面に示され以下に詳細に説明されている。この開示は本発明の原理の実例であって、本発明を例示した実施態様に限定するものではないことを理解すべきである。
【００１５】
本発明の好ましい実施態様が図１に示されている。窓日除け１００は、上横木１０２、下横木１０４及び複数のブラインド羽根板１０６を備えている。更に、ブラインド羽根板１０６を開閉するための上横木１０２内の傾斜機構（示されていない）を動作させる目的の傾斜制御杖１０８が備えられている。上横木１０２及び下横木１０４の間に延伸している引き上げ綱１１０は、日除け１００全体を上昇させるためのものである。窓日除け１００は、さもないと窓遮蔽物の美的外観を損なうような、複数の羽根板１０６を連結する綱やその他の部品が存在しないといった外観を、使用面側１１２において、呈する。
【００１６】
図中には詳細に示されていないが、傾斜機構は、ベネチアン・ブラインドで普通に見られるような、綱を制御して上昇、降下するための如何なる装置であってもよい。例えば、図１の制御杖１０８のような制御杖を有する実施例においては、制御杖は、綱を引き上げのために綱が巻かれ綱を下げるために解かれる巻枠を、回転するためのウォーム歯車で簡単に構成されることがある。代りに、傾斜機構は、使用者はブラインド羽根板を望みの位置に傾けたり開いたりするのに調節綱を引くだけで、綱は適切な場所に固定されるような細引き錠であることもある。このような細引き錠は、日除け全体を引き上げるための組立物において頻繁に見られるものである。この技術分野で周知の、綱を制御しながら上昇、降下させるその他の機構も利用されるであろう。
【００１７】
閉位置においては、図１に示したように、窓遮蔽物１００は、プライバシーと光遮断の両方を提供する、均一で非断続的な外観を呈する。日除け全体を引き上げずに、従ってある程度のプライバシーは維持しつつ室内に光を取り入れることが望まれる場合は、使用者は傾斜制御杖１０８を回せば良い。傾斜制御杖１０８が回されて調節部材１２２（図３）が引き上げられると、窓日除け１００の間隙１１４が図２に示す如く開いた状態になるように、複数の羽根板１０６の各角度は調節される。複数の羽根板の各々特別な配置に関しては、更に以下で詳細に吟味する。
【００１８】
図３を参照すると、羽根板１１６及び１１８の配置の一実施態様が、窓遮蔽物１００の複数の各羽根板配置を明示するために説明されている。この実施態様において、固定部材１２０及び調節部材１２２は、それぞれ羽根板１１６及び１１８を貫通しそれらに固定されている。羽根板１１６及び１１８は、固定部材１２０及び調節部材１２２に接着剤、超音波溶接、編み込み、結び付け、又は類似の方法により動かないように固定されている。以下で更に詳しく吟味するように、固定部材１２０及び調節部材１２２は、固定部材１２０及び調節部材１２２が固定されているブラインド羽根板に沿って長手方向に延伸しているプラスチック片を使用することにより、ブラインド羽根板に制限された状態で位置決めされている。
【００１９】
この実施態様においては、固定部材１２０及び調節部材１２２は、羽根板１１６及び１１８を貫通しているように示されている。しかし、固定部材及び調節部材は、各綱が二枚の隣接した羽根板を連結しているような、一連の綱であってもよいということが考えられる。
【００２０】
羽根板１１６及び１１８は、引き上げ綱１１０が貫通している孔１２４及び１２６を更に規定する。綱、１１０、１２０及び１２２は同一面上にあるように示されているが、これは必要条件ではない。固定部材１２０及び調節部材１２２の相対的位置は、一方が他方に対して末端側にあるというものである。示されているように、調節部材１２２が固定部材１２０に対して末端側に配置されているけれども、調節部材１２２と固定部材１２０の位置は、固定部材１２０が調節部材１２２に対して末端側に配置されるように逆にすることが出来る。この代わりの実施態様において、ブラインド羽根板は、調節部材を下げることで開かれ、調節部材を引き上げることで閉じられる。
【００２１】
列間隔はＹとして示され、羽根板１１６の重心はＣＧとして描かれている。羽根板１１６の前又は末端部１２８の幅は、調節部材１２２から延伸しているＸとして示されている。ただ一組の綱、即ち固定部材１２０、調節部材１２２、及び引き上げ綱１１０が図３には示されているが、図２に示すように同様な構成の一対の綱が、窓日除けの反対側から等距離をおいて配置されることが好ましい。前端部１２８の反対側の羽根板１１６の端部は、固定部材１２０と調節部材１２２が固定される後端部１２９である。
【００２２】
動作中は、ブラインド羽根板に種々の力が加えられる。ブラインド羽根板１１６を例として吟味する。重心ＣＧに有効に加えられる重力が、力の矢印１３０で示されている。力の矢印１３２で描かれた持ち上げ力は、ブラインド羽根板１１６が調節部材１２２に取り付けられている領域において、調節部材１２２によりブラインド羽根板１１６に同様に加えられる。力の矢印１３６で示されている平衡力は、ブラインド羽根板１１６が固定部材１２０に取り付けられている領域において、固定部材１２０によりブラインド羽根板１１６に加えられる。ブラインド羽根板の角度を調節したい時は、傾斜機構が傾斜制御杖１０８（図１）により制御されるのが好ましい。傾斜制御杖を回すことは、上横木中の傾斜機構に調節部材１２２を延伸又は収縮させ、ブラインド羽根板の角度を調節する。調節部材１２２を延伸することは力１３２を低減させ、重力１３０がブラインド羽根板１１６を下向きに動かす、一方調節部材１２２を収縮させることは力１３２を増強させ、重力１３０に打ち勝って末端部１２８を引き上げ、結果的にブラインド羽根板１１６を上向きに傾ける。既述したように、調節部材１２２が収縮させられている時でも、平衡力１３６は持ち上げ力１３２より大きいので、固定部材１２０が羽根板１１６及び其処から延伸している長手方向領域に固定されている点が、ブラインド羽根板の角度調節に際して上横木に対し相対的に垂直方向に安定している。
【００２３】
Ｘで示した、前又は末端部１２８の幅は、Ｙで示した列間隔より大きい。このように、ブラインド羽根板１１６の前又は末端部１２８が下げられて隣接したブラインド羽根板１１８に接触するように、調節部材１２２が延伸された時には、孔１２６、調節部材１２２、及び固定部材１２０は、一方向から見た場合に、前又は末端部１２８によって窓遮蔽物の使用面から隠される。
【００２４】
改良された窓遮蔽物の代りの実施態様が、図４として示されている。再び、一対のブラインド羽根板２１６及び２１８を、窓遮蔽物における複数のブラインド羽根板の例として参照する。この実施態様は、固定部材２２０として用いられている綱の代りに鏡板材料を備えている点を除いて、前実施態様に類似している。更に、調節部材２２２及び引き上げ綱２１０を備えている。固定部材２２０は、窓遮蔽物全体にわたって延伸している鏡板であり、半透明材料で構成されるであろう。このように配置によって、ブラインド羽根板は、光線が室内に入るように傾斜することができ、しかも高度なプライバシーを維持する。若し望まれるならば、鏡板は不透明、透明、又は模様があってもよい。一対の綱２２２と２１０の組、即ち調節部材２２２及び引き上げ綱２１０は、窓遮蔽物の端から等距離に配置されるのが好ましい。
【００２５】
図４に示した実施態様の全操作は、図３に示した実施態様に関して吟味したものと同様である。調節部材２２２が上昇又は降下されると、ブラインド羽根板２１６及び２１８がそれぞれ開閉する。調節部材２２２及び固定部材２２０がその回りに制限された状態で配置されている、隣接する羽根板２１８の後端部２４０は、窓遮蔽物が閉位置に在る時ブラインド羽根板２１６の前端部２２８が隣接する羽根板２１８の後端部と重なるので、ブラインド羽根板２１６の前端部２２８により隠される。
【００２６】
改良窓遮蔽物のもう一つの実施態様が、図5に示されている。羽根板３１６及び３１８の配列が再び複数の羽根板の各形態を説明するために与えられている。この実施態様においては、固定部材３２０及び調節部材３２２は、それぞれ孔３２１及び３２３を貫通している。図３に示した実施態様と異なり、固定部材３２０及び調節部材３２２は、ブラインド羽根板３１６及び３１８に動かないように固定されてはいない。代りに、羽根板３１６について言えば、調節部材３２２には羽根板３１６の下側で固定され、固定部材３２０には羽根板３１６の上側で固定されている、紐又は綱から成る梯子横木状物３２５によってその動きを制限されて、固定部材３２０及び調節部材３２２は制限された状態で配置されている。梯子横木状物３２５は、引き上げ綱３１０も同じく貫通している孔３２４を、更に貫通している。梯子横木状物３２５は、固定部材３２０に沿ったブラインド羽根板３１６の上向きの動きを制限し、調節部材３２２に沿ったブラインド羽根板３１６の下向きの動きを制限する。図３に示した実施態様同様、固定部材３２０、調節部材３２２、引き上げ綱３１０、及び梯子横木状物３２５から構成される一対の綱の組を備えており、窓遮蔽物の反対側から等距離をおいて配置されることが好ましい。
【００２７】
これまでのところ、提供された各実施態様においては、調節部材が上昇、降下されるけれども、固定部材は上横木に対して相対的に静止したままである。固定部材と調節部材の両方が上昇、降下される代りの実施態様も利用されることがある。特に、調節部材３２２が引き上げられると固定部材３２０は下げられ、同様に、調節部材３２２が下げられると固定部材３２０は引き上げられる。この実施態様に対する傾斜機構は、他方を下げながら同時に一方の綱を引き上げることの出来る機構であれば何れでもよい。例えば、標準ベネチアン・ブラインドで見られる、梯子状組立物の前端及び後端を上昇降下させるための傾斜機構が適している。前実施態様と同様に、前又は末端部３２８のような羽根板の前又は末端部が下側の隣接する羽根板と重なるので、窓日除けが閉位置に在る時は綱や梯子状物が使用面から見えない。
【００２８】
固定部材と調節部材に対して相対的にブラインド羽根板を制限した状態で配置するための、更にもう一つの方法が図６に示されている。固定部材４２０及び調節部材４２２は、孔４２３及び４２４をそれぞれ貫通している。ブラインド羽根板４１６及び４１８を固定部材４２０及び調節部材４２２に対して相対的に制限された状態で配置するために、止め具４１９及び支え具４２１が固定部材４２０及び調節部材４２２にそれぞれ動かないように固定される。止め具４１９は、羽根板４１６に近接した方の部分が孔４２３より大きく成るように形成される。支え具４２１は同様に、孔４２４より大きな部分を備えるように形成される。従って、止め具４１９が固定部材４２０に沿った羽根板４１６の上向きの動きを制限し、支え具４２１が調節部材４２２に沿った下向きの動きを制限する。羽根板を傾けることによる窓遮蔽物の開閉は、前実施態様において上で吟味した通りである。
【００２９】
上で吟味した通り、固定部材と調節部材は、複数のブラインド羽根板と種々の方法により制限された状態で位置決めされる。図７及び８に示されているのは、プラスチック片を用いた好ましい実施態様の一つである。ブラインド羽根板６５０は、補強片６５４を対向する両端で挟むように折り返された一片の材料６５２から構成されている。材料６５２は、孔６５６及び６５８を規定し、固定部材６６０と調節部材６６２がそれぞれ通る寸法に成っている。固定部材６６０で輪６６４が形成されている。好ましくはプラスチックで形成される剛性固定片６６６は、材料６５２の対向する両端により、ブラインド羽根板６５０の中央端近傍で同様に挟まれている。剛性固定片６６６は孔６５６と交差し、輪６６４を貫通する。このように，固定部材がブラインド羽根板６５０により固定される。図８を参照すると、輪６７０が調節部材６６２で同様に形成されている。剛性固定部材６６８は、孔６５８を貫通している調節部材６６２に形成された、輪６７０を貫通する。剛性固定片６６８はブラインド羽根板６５０の下部に配置されている。このように、ブラインド羽根板６５０は、調節部材６６２及びプラスチック片６６８と制限された状態で位置決めされるが、それは調節部材６６２に対して羽根板６５０の相対的な下向きの動きが片６６８により制限されるからである。若し望まれるならば、片６６８は羽根板６５０に接着剤などで動かないように固定してもよい。
【００３０】
ブラインド羽根板と固定及び調節部材とを、制限された状態で位置決めする更にもう一つの方法が、図９及び１０に示されている。この実施態様においては、ブラインド羽根板７５０は、補強片７５４を対向する両端で挟むように折り返された一片の材料７５２から構成されている。固定部材７６０及び調節部材７６２は孔７５６及び７５８をそれぞれ貫通している。前の実施態様と同様に、固定部材７６０及び調節部材７６２の各々は、輪７６４及び７７０がそれぞれ形成されている。固定部材７６０及び調節部材７６２は各々輪を貫通し、プラスチック片７６６及び７６８に固定されている。代りに、図１０に示すように、この場合、固定部材７７６が直接ブラインド羽根板７７８に結び付けられるように、孔７７２は、端部７７４に近接するが重ならないように形成されてもよい。このような実施態様においては、プラスチック固定片は不要であるが、望まれれば備えられることもある。
【００３１】
何れの実施態様においても随意に取り込まれる可能性のある造作は、図１１に示したような補強片である。この実施態様においては、固定部材５２０及び調節部材５２２はそれぞれ羽根板５１６及び５１８を貫通し且つそれに固定されている。羽根板５１６及び５１８は、固定部材５２０及び調節部材５２２に動かないように固定され、引き上げ綱５１０が貫通している孔５２４及び５２６を更に規定している。薄い金属片又は類似物などの補強片５４０も備えられている。補強片５４０と５４１は、固定部材５２０と羽根板５１６及び５１８との間の固定性を改善する。補強片５４０と５４１は、羽根板５１６及び５１８の中央端部５４２と５４４のそれぞれに追加加重を提供する目的にも役立つであろう。そうすることにより、羽根板の重心が中央端部５４２と５４４の近くへ移動され、下横木の重量によって提供されるような、固定部材５２０により加えられるべき平衡力の必要量を軽減する。補強片５４０及び５４１は、羽根板の全長にわたって延伸しているのが好ましいが、羽根板の一部にのみ延伸していることもあり得る。
【００３２】
以上の説明は、例証的なものであって限定するものではないと捕らえられるべきである。当業者にとっては、更なる他の変更物が本発明の精神と範囲内で直ちに示現するであろう。
【図面の簡単な説明】
【００３３】
【図１】本発明による、閉じられた窓遮蔽物の好ましい実施態様の斜視正面図である。
【図２】部分開放された図１の窓遮蔽物の斜視正面図である。
【図３】部分開放された図１における隣接した一組のブラインド羽根板の断面側面図である。
【図４】窓遮蔽物の代りの実施態様における、隣接した一組のブラインド羽根板の部分断面斜視側面図である。
【図５】窓遮蔽物のもう一つ代りの実施態様における、隣接した一組のブラインド羽根板の断面側面図である。
【図６】窓遮蔽物の更にもう一つ代りの実施態様における、隣接した一組のブラインド羽根板の断面側面図である。
【図７】固定部材及び調節部材にブラインド羽根板を動かないように固定している、好ましい実施態様の拡大斜視図である。
【図８】図７の実施態様の拡大底面図である。
【図９】固定部材及び調節部材にブラインド羽根板を動かないように固定している、もう一つの好ましい実施態様の拡大斜視図である。
【図１０】ブラインド羽根板を固定部材に動かないように固定している、もう一つ代りの実施態様の拡大図である。
【図１１】窓遮蔽物の更なる実施態様による隣接する一組のブラインド羽根板の斜視図である。
【図１】
2004316405.tif 000003
【図２】
2004316405.tif 000004
【図３】
2004316405.tif 000005
【図４】
2004316405.tif 000006
【図５】
2004316405.tif 000007
【図６】
2004316405.tif 000008
【図７】
2004316405.tif 000009
【図８】
2004316405.tif 000010
【図９】
2004316405.tif 000011
【図１０】
2004316405.tif 000012
【図１１】
2004316405.tif 000013
【外国語明細書】
2004316405.tif 000014
2004316405.tif 000015
2004316405.tif 000016
2004316405.tif 000017
2004316405.tif 000018
2004316405.tif 000019
2004316405.tif 000020
2004316405.tif 000021
2004316405.tif 000022
2004316405.tif 000023
2004316405.tif 000024
2004316405.tif 000025
2004316405.tif 000026
2004316405.tif 000027
2004316405.tif 000028
2004316405.tif 000029
2004316405.tif 000030
2004316405.tif 000031
2004316405.tif 000032
2004316405.tif 000033
2004316405.tif 000034
2004316405.tif 000035
2004316405.tif 000036
2004316405.tif 000037
2004316405.tif 000038
2004316405.tif 000039
2004316405.tif 000040
2004316405.tif 000041
2004316405.tif 000042
2004316405.tif 000043
2004316405.tif 000044
2004316405.tif 000045
2004316405.tif 000046
2004316405.tif 000047
2004316405.tif 000048
2004316405.tif 000049
2004316405.tif 000050
2004316405.tif 000051
2004316405.tif 000052
2004316405.tif 000053